(57)【特許請求の範囲】
【請求項１】
撮影光学系の焦点距離を所定の倍率で変換すると共に該変換する倍率が切替可能なエクステンダーを備えたレンズ装置を制御するレンズ制御装置であって、前記撮影光学系の焦点距離を連続的に変更するためのズームレンズ群の所望の位置をショットとして事前に記憶しておき、ショット再生を指示する所定のショット再生操作が行われると、前記ズームレンズ群を前記ショットとして記憶した位置に移動させるショット制御手段を備えたレンズ制御装置において、
前記ショット制御手段は、前記ショット再生操作が行われた際の制御のモードとして複数のモードを備え、前記ズームレンズ群の位置に関するショットの記憶時において、前記モードにかかわらず、前記ズームレンズ群の位置と共に前記エクステンダーの設定状態と前記撮影光学系の焦点位置を調整するためのフォーカスレンズ群の位置を前記ショットとして記憶しておき、
前記モードとして、
前記ショット再生操作が行われると、前記ズームレンズ群及び前記フォーカスレンズ群を前記ショットとして記憶した位置に移動させると共に、前記エクステンダーを前記ショットとして記憶した設定状態に設定するズーム＆フォーカス再生モードと、
前記ショット再生操作が行われると、前記フォーカスレンズ群のみを前記ショットとして記憶した位置に移動させるフォーカス再生モードと、
前記ショット再生操作が行われると、前記ズームレンズ群を前記ショットとして記憶した位置に移動させると共に、前記エクステンダーを前記ショットとして記憶した設定状態に設定し、前記フォーカスレンズ群を前記ショット再生操作が行われたときの位置に保持するズーム再生モードのうち少なくとも２つのモードを備え、
前記ショット再生操作が行われると、所定の選択手段により選択されたモードの制御を実行することを特徴とするレンズ制御装置。
【発明の詳細な説明】
【技術分野】
【０００１】
本発明はレンズ制御装置に係り、特にズーム、フォーカス等のレンズ装置の所定の制御対象の設定状態をショットとして予め記憶しておき、所定のショット再生操作でそのショットを再生するショット機能を備えたレンズ制御装置に関する。
【背景技術】
【０００２】
放送用又は業務用のテレビカメラに使用されるレンズ装置のレンズ制御装置として、ショットボックスと称されるショット機能（プリセット機能）を搭載した装置が知られている（例えば、特許文献１、２参照）。ショット機能は、ズーム（ズームレンズ群）やフォーカス（フォーカスレンズ群）の設定状態（設定位置）をショットとして事前に記憶させておくことによって、ショットボックスに設けられたショットスイッチのオン操作でズームやフォーカスをショットとして記憶した設定状態に自動再生できるようにした機能である。
【特許文献１】特開２００１−１６０９１２号公報
【特許文献２】特開２００５−１３０２５５号公報
【発明の開示】
【発明が解決しようとする課題】
【０００３】
ところで、レンズ装置のズームは撮影光学系の焦点距離を連続的に可変するための可動のズームレンズ群を移動させることによって制御されるレンズ装置の制御対象を示し、これとは別に焦点距離を所定の倍率で変換するエクステンダーを備えたものが知られている。エクステンダーの倍率は、例えば撮影光学系に挿入するレンズ群（エクステンダーレンズ群）の種類を切り替えることによって、焦点距離を１倍から２倍、２倍から１倍というように複数の倍率で切り替えられるようになっている。
【０００４】
しかしながら、従来のショットボックスでは、ショット機能の制御対象としてエクステンダー倍率（撮影光学系に挿入されたエクステンダーレンズ群により変換される焦点距離の倍率）に関する情報の記憶、再生を行っていないため、ショットを記憶したときと、再生したときとでエクステンダー倍率が異なる場合があった。この場合に、ショットを再生したときの焦点距離（撮影画角）がショットを記憶したときの焦点距離（撮影画角）と異なるという不具合が生じていた。
【０００５】
本発明はこのような事情に鑑みてなされたもので、エクステンダーを備えたレンズ装置に対するショット機能搭載のレンズ制御装置において、ショットの記憶時における撮影画角を確実に再現できるようにしたレンズ制御装置を提供することを目的とする。
【課題を解決するための手段】
【０００６】
前記目的を達成するために、請求項１に記載のレンズ制御装置は、撮影光学系の焦点距離を所定の倍率で変換すると共に該変換する倍率が切替可能なエクステンダーを備えたレンズ装置を制御するレンズ制御装置であって、前記撮影光学系の焦点距離を連続的に変更するためのズームレンズ群の所望の位置をショットとして事前に記憶しておき、ショット再生を指示する所定のショット再生操作が行われると、前記ズームレンズ群を前記ショットとして記憶した位置に移動させるショット制御手段を備えたレンズ制御装置において、前記ショット制御手段は、前記ショット再生操作が行われた際の制御のモードとして複数のモードを備え、前記ズームレンズ群の位置に関するショットの記憶時において、前記モードにかかわらず、前記ズームレンズ群の位置と共に前記エクステンダーの設定状態と前記撮影光学系の焦点位置を調整するためのフォーカスレンズ群の位置を前記ショットとして記憶しておき、前記モードとして、前記ショット再生操作が行われると、前記ズームレンズ群及び前記フォーカスレンズ群を前記ショットとして記憶した位置に移動させると共に、前記エクステンダーを前記ショットとして記憶した設定状態に設定するズーム＆フォーカス再生モードと、前記ショット再生操作が行われると、前記フォーカスレンズ群のみを前記ショットとして記憶した位置に移動させるフォーカス再生モードと、前記ショット再生操作が行われると、前記ズームレンズ群を前記ショットとして記憶した位置に移動させると共に、前記エクステンダーを前記ショットとして記憶した設定状態に設定し、前記フォーカスレンズ群を前記ショット再生操作が行われたときの位置に保持するズーム再生モードのうち少なくとも２つのモードを備え、前記ショット再生操作が行われると、所定の選択手段により選択されたモードの制御を実行することを特徴としている。
【０００７】
本発明によれば、ショット記憶時においてズームレンズ群の位置と共にエクステンダーの設定状態がショットとして記憶され、ショット再生の際には、ズームレンズ群と共にエクステンダーがショットとして記憶された設定状態に設定されるため、ショット記憶時とショット再生時においてエクステンダーの設定状態（エクステンダー倍率）が異なる場合であってもショット記憶時の焦点距離（撮影画角）が確実に再現される。
【００１１】
また、本発明によれば、ショット記憶時においてズームレンズ群とフォーカスレンズ群とエクステンダーの設定状態をショットとして記憶し、ショット再生時には、ズームレンズ群とフォーカスレンズ群とエクステンダーに関する全てのショットを再生するズーム＆フォーカス再生モードと、ズームレンズ群とエクステンダーに関するショットを再生するズーム再生モードと、フォーカスレンズ群のみに関するショットを再生するフォーカス再生モードのうちの少なくとも２つのモードを選択可能にしている。フォーカス再生モードの際には、ズームレンズ群のみだけでなくエクステンターに関するショットの再生も行われないため、現状の撮影画角を維持することができる。
【発明の効果】
【００１２】
本発明に係るレンズ制御装置によれば、エクステンダーを備えたレンズ装置に対するショット機能搭載のレンズ制御装置において、ショットの記憶時における撮影画角が確実に再現されるようになる。
【発明を実施するための最良の形態】
【００１３】
以下、添付図面に従って本発明に係るレンズ制御装置を実施するための最良の形態について詳説する。
【００１４】
図１は、本発明が適用されるショットボックスを使用したテレビカメラシステムの外観図である。同図に示すように雲台２に支持されたテレビカメラ４には、サーボ操作式のレンズ装置６が装着される。雲台２には２本の操作ロッド２Ａ、２Ｂが延設されており、操作ロッド２Ａのグリップ付近には、ショットボックス１０が固定ツマミ１２によって取り付けられる。
【００１５】
ショットボックス１０にはレンズ装置６の撮影光学系のフォーカス（フォーカスレンズ群）をマニュアル操作するためのフォーカスデマンド１４が一体的に設けられており、このフォーカスデマンド１４からは、フォーカスノブ１４Ａの回転操作量に応じてレンズ装置６内のフォーカスレンズ群の移動位置を指令するフォーカス制御信号がショットボックス１０を介してレンズ装置６に伝送されるようになっている。このフォーカス制御信号に基づいてレンズ装置６内のフォーカスレンズ群が駆動され、撮影光学系のフォーカス（焦点位置）が変更される。
【００１６】
また、レンズ装置６には撮影光学系の焦点距離を所定倍率で変換するためのエクステンダーが搭載されており、フォーカスデマンド１４にはそのエクステンダーにより焦点距離を変換する倍率（本明細書ではエクステンダー倍率と称す）の切替えを指示する図示しない操作スイッチが設けられている。その操作スイッチの操作に従ってエクスタンダー倍率の切替えを指示するエクステンダー制御信号がショットボックス１０を介してレンズ装置６に伝送されるようになっている。このエクステンダー制御信号に基づいてレンズ装置６内のエクステンダー倍率の切替えが行われる。
【００１７】
他方、操作ロッド２Ｂのグリップ付近には、ズームスピードを操作するズームデマンド１６が取り付けられており、このズームデマンド１６からは、ズームリング１６Ａの回動方向と回転量に応じてレンズ装置６内のズームレンズ群を広角側又は望遠側に移動速度を指令するズーム制御信号がショットボックス１０を介してレンズ装置６に伝送されるようになっている。このズーム制御信号に基づいてレンズ装置６内のズームレンズ群が駆動され、撮影光学系の焦点距離が変更される。
【００１８】
図２は、上記ショットボックス１０の外観図である。上述のようにショットボックス１０には、フォーカスデマンド１４が一体的に設けられており、そのフォーカスデマンド１４の操作に基づくフォーカス制御信号が、ショットボックス１０の下面にあるレンズ用コネクタ２０からケーブルを介して上記レンズ装置６に送信される。また、ショットボックス１０の上面にはズームデマンド１６が接続されるズームデマンド用コネクタ２２が設けられており、ズームデマンド１６から出力されたズーム制御信号はケーブルを介してこのズームデマンド用コネクタ２２からショットボックス１０に入力され、ショットボックス１０の下面のレンズ用コネクタ２０からレンズ装置６に送信される。
【００１９】
ショットボックス１０の正面の操作パネル２４には、１〜６番までのショットスイッチ２６Ａ〜２６Ｆ、メモスイッチ２８、表示器３０Ａ〜３０Ｆ、３２Ａ〜３２Ｆ、スピード調整ツマミ３４、再生モード選択スイッチ３６が設けられている。また、各スイッチ２６Ａ〜２６Ｆ、２８の内部には、オン／オフ状態を点灯／消灯により表示するためのＬＥＤが埋設されている。
【００２０】
ショットスイッチ２６Ａ〜２６Ｆは、ズーム、フォーカス、及び、エクステンダーに関するショットの記憶（登録）や再生を指示するもので、これらの６個のショットスイッチ２６Ａ〜２６Ｆを使用することによって最大で６通りのショットを記憶させ、再生させることができるようになっている。尚、絞りについてもショットとして記憶し、再生できるようにすることも可能であるが、本実施の形態では絞りについてのショットの記憶、再生については省略する。
【００２１】
メモスイッチ２８は、記憶モードと再生モードとを切り替えるもので、メモスイッチ２８を押すごとにこれらのモードが切り替えられる。メモスイッチ２８のＬＥＤが点灯（又は点滅）しているオン状態では記憶モードであり、この記憶モードにおいて、上記ショットスイッチ２６Ａ〜２６Ｆの何れかを押すと、そのショットスイッチに対応して、そのときのレンズ装置６におけるズームレンズ群、フォーカスレンズ群、及び、エクステンダーの各々の設定状態を示す情報としてズーム位置（ズームレンズ群の位置）、フォーカス位置（フォーカスレンズ群の位置）、及び、エクスエンダー倍率がショットとして記憶されるようになっている。
【００２２】
一方、メモスイッチ２８のＬＥＤが消灯しているオフ状態では再生モードであり、この再生モードにおいて、ショット記憶済みの上記ショットスイッチ２６Ａ〜２６Ｆの何れかを押すと、そのショットスイッチに対して記憶されているショットが再生されるようになっている。
【００２３】
また、再生モードでは、再生モード選択スイッチ３６により「ズーム再生モード」、「フォーカス再生モード」、「ズーム＆フォーカス再生モード」の３種類のモードが選択できるようになっている。「ズーム再生モード」では、ショットとして記憶されているズーム位置、フォーカス位置、エクステンダー倍率のうち、ズーム位置とエクステンダー倍率がショットとして再生される（フォーカス位置は変更されない）。これによれば、ショットの記憶時における焦点距離（撮影画角）のみが再現される。
【００２４】
「フォーカス再生モード」では、ショットとして記憶されているズーム位置、フォーカス位置、エクステンダー倍率のうち、フォーカス位置のみがショットとして再生される。これによれば、ショットの記憶時におけるフォーカス位置（ピント位置）のみが再現される。
【００２５】
「ズーム＆フォーカス再生モード」では、ショットとして記憶されているズーム位置、フォーカス位置、エクステンダー倍率の全てがショットとして再生される。これによれば、ショットの記憶時における焦点距離（撮影画角）及びフォーカス位置の両方が再現される。
【００２６】
尚、ショット再生後にフォーカスデマンド１４やズームデマンド１６を操作すれば、ショットは解除され、フォーカスデマンド１４やズームデマンド１６の操作に基づいてレンズ装置６のフォーカス、ズーム、エクステンダーが制御される。
【００２７】
表示器３０Ａ〜３０Ｆ、３２Ａ〜３２Ｆは、各ショットスイッチ２６Ａ〜２６Ｆに対応して設けられており、各ショットスイッチ２６Ａ〜２６Ｆに対して記憶されているショットが表示されるようになっている。例えば、各表示器３０Ａ〜３０Ｆは、ワイド端からテレ端までのズーム位置、及び、至近端から無限遠端までのフォーカス位置を横一列に複数配列されたＬＥＤの点灯位置で示す構成となっており、ショットとして記憶されているズーム位置及びフォーカス位置に対応する位置のＬＥＤが各々異なる色で点灯されるようになっている。
【００２８】
表示器３２Ａ〜３２Ｆには、各ショットスイッチ２６Ａ〜２６Ｆに対してショットとして記憶されているエクステンダー倍率が表示される。例えば、各表示器３２Ａ〜３２Ｆは、切替可能なエステンダー倍率の種類に対応したＬＥＤが設けられており、ショットとして記憶されているエクステンダー倍率に対応したＬＥＤが点灯するようになっている。本実施の形態では切替可能なエクステンダー倍率として１倍と２倍のエクステンダー倍率が選択可能となっており、各表示器３２Ａ〜３２Ｆには各々、１倍と２倍のエクステンダー倍率を表示する２つのＬＥＤが設けられている。
【００２９】
スピード調整ツマミ３４は、ショット再生の際に再生速度を設定するものであり、ズームレンズ群とフォーカスレンズ群をショットとして記憶された位置に移動させる際の移動速度がこのスピード調整ツマミ３４の調整位置に応じて変更されるようになっている。
【００３０】
図３は、上記レンズ装置６及びショットボックス１０の構成を示した構成図である。同図に示すように、レンズ装置６とショットボックス１０とは、通信インターフェース５０及び通信インターフェース５２間においてケーブルにより接続され、これらの通信インターフェース５０及び通信インターフェース５２間でシリアル通信により各種信号のやり取りが行われる。また、フォーカスデマンド１４やズームデマンド１６は、ショットボックス１０に接続され、フォーカスデマンド１４やズームデマンド１６から出力された制御信号（ズーム制御信号、フォーカス制御信号、エクステンダー制御信号等）はショットボックス１０を介してレンズ装置６に送信されるようになっている。
【００３１】
レンズ装置６において、被写体像を結像する撮影光学系には、焦点距離を連続的に可変するための上記ズームレンズ群５４、焦点位置を調整する（ピント合わせる）ための上記フォーカスレンズ群５６、及び、撮影光学系の焦点距離を所定倍に変換するための上記エクステンダー５８が配置されている。これらのズームレンズ群５４、フォーカスレンズ群５６及びエクステンダー５８は、各々に連結されたモータを含む駆動部６２によって駆動されるようになっている。
【００３２】
エクスタンダー５８は、撮影光学系に挿脱される複数種のレンズ群（エクステンダーレンズ群）を備えており、本実施の形態では、撮影光学系の焦点距離を１倍に変換するエクステンダーレンズ群５８Ａと２倍に変換するエクステンダーレンズ群５８Ｂとを備えている。また、エクステンダーレンズ群の種類として焦点距離を２倍に変換するもの以外にも、焦点距離を０．８倍等の他の倍率に変換するレンズ群を備えるものもあるが、本発明はエクステンダー５８がどのような種類（倍率）のエクステンダーレンズ群を備えたものであっても適用できる。
【００３３】
レンズ装置６には、ＣＰＵ６０が搭載されており、ＣＰＵ６０は、ショットボックス１０から通信インターフェース５０を介して与えられるズーム制御信号、フォーカス制御信号、エクステンダー制御信号に基づいて、ズームレンズ群５４、フォーカスレンズ群５６、エクステンダー５８を駆動するための駆動信号を駆動部６０に出力する。これよって、ショットボックス１０から与えられた制御信号に従ってズームレンズ群５４、フォーカスレンズ群５６、エクステンダー５８が駆動される。尚、ズーム制御信号、フォーカス制御信号、エクステンダー制御信号は、フォーカスデマンド１４やズームデマンド１６から出力された制御信号がショットボックス１０を介して与えられるものであるが、ショットの再生時には、ショットを再生するためにショットボックス１０で生成された制御信号が与えられるようになっている。
【００３４】
また、ＣＰＵ６２には、ズームレンズ群５４、フォーカスレンズ群５６の現在の位置、エクステンダー５８における現在のエクステンダー倍率を示す情報が図示しない位置サンサから与えられるようになっている。ショットの記憶時には、現在設定されているズームレンズ群５４及びフォーカスレンズ群５６の位置、エクステンダー５８の倍率を示す情報が、通信インターフェース５０を介してショットボックス１０に送信されるようになっている。
【００３５】
ショットボックス１０には、ＣＰＵ９０が搭載されており、このＣＰＵ９０により、図２で示したショットボックス１０の操作パネル２４に設けられたショットスイッチ２６Ａ〜２６Ｆ、メモスイッチ２８、スピード調整ツマミ３４、再生モード選択スイッチ３６の状態が検出される。そして、検出された状態に応じてショット記憶やショット再生の処理が実行されるようになっている。図３では、ショットスイッチ２６Ａ〜２６Ｆ、メモスイッチ２８、スピード調整ツマミ３４は、操作手段９２というブロックで省略して示されている。
【００３６】
また、ショットスイッチ２６Ａ〜２６Ｆ、メモスイッチ２８の各々には、オン／オフ状態を示すＬＥＤが設けられており、それらのＬＥＤの点灯／消灯がＣＰＵ９０により制御される。図３では、各スイッチに設けられたＬＥＤが１つのＬＥＤ９４というブロックで省略して示されている。
【００３７】
更に、図２に示したように各ショットスイッチ２６Ａ〜２６Ｆに対応した位置に各ショットスイッチ２６Ａ〜２６Ｆに対して記憶されたショットを示す表示器３０Ａ〜３０Ｆ、３２Ａ〜３２Ｆが設けられており、それらの表示もＣＰＵ９０により制御されるようになっている。図３では、表示器３０Ａ〜３０Ｆ、３２Ａ〜３２Ｆが１つの表示器９６というブロックで示されている。
【００３８】
ショットスイッチ２６Ａ〜２６Ｆのいずれもがオフ状態の時（ショット記憶及びショット再生のいずれの処理も実行しない時）には、ＣＰＵ９０は、フォーカスデマンド１４及びズームデマンド１６から出力された制御信号（ズーム制御信号、フォーカス制御信号をＡ／Ｄ変換器９２を介して読み込み、その制御信号を通信インターフェース５２を介してレンズ装置６（ＣＰＵ６０）に送信する。一方、ショット再生時には、フォーカスデマンドやズームデマンド１６から出力されたズーム制御信号、フォーカス制御信号、エクステダー制御信号をレンズ装置６に送信せずに、そのショット再生のための制御信号を自己で生成してレンズ装置６に送信する。
【００３９】
以下、ＣＰＵ９０のショットに関する処理について説明する。操作者が新たなショットを記憶させる場合、ショットボックス１０のメモスイッチ２８をオン状態にし、ショットスイッチ２６Ａ〜２６Ｆのうちショットを記憶させたいショットスイッチをオンにする。ＣＰＵ９０は、メモスイッチ２８がオン状態になったことを検出すると記憶モードの処理を実行する。即ち、ショットスイッチ２６Ａ〜２６Ｆのいずれかがオンされたか否かを検出し、もし、いずれかのショットスイッチがオンされた場合には、現在のズーム位置、フォーカス位置、エクステンダー倍率の情報をレンズ装置６から通信により取得し、取得したズーム位置、フォーカス位置、エクステンダー倍率の情報をオンされたショットスイッチに対するショットとしてメモリ１００に記憶させる。また、表示器３０Ａ〜３０Ｆ、３２Ａ〜３２Ｆのうち、オンされたショットスイッチに対応する位置に設けられた表示器にショットとして記憶させたズーム位置、フォーカス位置、エクステンダー倍率を表示させる。
【００４０】
一方、ショットを再生させる場合、操作者は、ショットボックス１０のメモスイッチ２８をオフ状態にし、ショットスイッチ２６Ａ〜２６Ｆのうち再生したいショットが記憶されているショットスイッチをオンする。また、ショットスイッチをオンする前に、ショットとして再生したい対象がズーム（撮影画角）のみか、フォーカス（ピント位置）のみか、又は、両方かに応じて、再生モード選択スイッチ３６により「ズーム再生モード」、「フォーカス再生モード」、「ズーム＆フォーカス再生モード」のうちのいずれか１つのモードを選択しておく。上述のように「ズーム再生モード」を選択した場合には、ズームのみ（ズームレンズ群５４及びエクステンダー５８）のショットの再生が行われ、「フォーカス再生モード」を選択した場合には、フォーカス（フォーカスレンズ群５６）のみのショットの再生が行われ、「ズーム＆フォーカス再生モード」を選択した場合には、ズーム（ズームレンズ群５４及びエクステンダー５８）とフォーカス（フォーカスレンズ群５６）の両方のショットの再生が行われる。
【００４１】
ＣＰＵ９０は、メモスイッチ２８がオフ状態のときに、ショットスイッチ２６Ａ〜２６Ｆのいずれかがオンされたことを検出すると、再生モードの処理を実行する。即ち、まず、再生モード選択スイッチ３６の設定位置を読み込み、「ズーム再生モード」、「フォーカス再生モード」、「ズーム＆フォーカス再生モード」のいずれのモードが選択されているかを検出する。
【００４２】
そして、「ズーム再生モード」に選択されている場合、オンされたショットスイッチに対して記憶されているショットの情報のうち、ズーム位置とエクステンダー倍率の情報をメモリ１００から読み出し、それらのズーム位置、エクステンダー倍率を再現するためのズーム制御信号とエクステンダー制御信号とをレンズ装置６に送信する。これによって、オンされたショットスイッチに対して記憶されているズーム位置とエクステンダー倍率が再生される。即ち、ショットの記憶時における焦点距離（撮影画角）が再現される。一方、フォーカス位置は再生されず、ショットスイッチがオンされた位置に保持される。
【００４３】
「フォーカス再生モード」が選択されている場合には、オンされたショットスイッチに対して記憶されているショットの情報のうち、フォーカス位置の情報をメモリ１００から読み出し、そのフォーカス位置を再現するためのフォーカス制御信号をレンズ装置６に送信する。これによって、オンされたショットスイッチに対して記憶されているフォーカス位置が再生される。即ち、ショットの記憶時におけるピント位置が再現される。一方、ズーム位置とエクステンダー倍率は再生されず、ショットスイッチがオンされたときの位置に保持される。
【００４４】
「ズーム＆フォーカス再生モード」が選択されている場合には、オンされたショットスイッチに対してショットとして記憶されている情報のうち、ズーム位置、フォーカス位置、エクステンダー倍率の情報の全てをメモリ１００から読み出し、それらのズーム位置、フォーカス位置、エクステンダー倍率を再現するためのズーム制御信号、フォーカス制御信号、エクステンダー制御信号をレンズ装置６に送信する。これによって、オンされたショットスイッチに対して記憶されているズーム位置、フォーカス位置、エクステンダー倍率が再生される。即ち、ショットの記憶時における焦点距離（撮影画角）とピント位置が再現される。
【００４５】
以上、上記実施の形態では、フォーカスデマンド１４と一体型のショットボックス１０に本発明を適用した態様を示したが、フォーカスデマンド１４とは別体のショット機能を備えた任意のコントローラにおいて本発明を適用することができる。
【００４６】
また、上記実施の形態ではショット記憶時においてエクステンダー５８の設定状態を示すショットの情報としてエクステンダー倍率を記憶するようにしたが、これに限らず、エクステンダー５８の設定状態を示す他の形態の情報をショットの情報として記憶するようにしてもよい。
【００４７】
また、上記実施の形態ではショット再生のモードとして「ズーム再生モード」、「フォーカス再生モード」、「ズーム＆フォーカス再生モード」の３種類のモードを選択可能としたが、これらのモードのうちいずれか２つのモードのみを選択可能としてもよい。
【図面の簡単な説明】
【００４８】
【図１】図１は、本発明が適用されるショットボックスを使用したテレビカメラシステムの外観図である。
【図２】図２は、ショットボックスの外観図である。
【図３】図３は、レンズ装置及びショットボックスの構成を示したブロック図である。
【符号の説明】
【００４９】
６…レンズ装置、１０…ショットボックス、１４…フォーカスデマンド、１６…ズームデマンド、２６Ａ〜２６Ｆ…ショットスイッチ、２８…メモスイッチ、３０Ａ〜３０Ｆ、３２Ａ〜３２Ｆ…表示器、３６…再生モード選択スイッチ、５４…ズームレンズ群、５６…フォーカスレンズ群、５８…エクステンダー、６０、９０…ＣＰＵ
【図１】
0005053790.tif 000002
【図２】
0005053790.tif 000003
【図３】
0005053790.tif 000004